(57)【要約】  本発明のファスナーテープ無しストリンガー(10,20)では、連続したファスナーエレメント(12,22)と、ファスナーエレメント(12,22)が縫製糸(13)により縫着されるエレメント固定部材(14,51,52)とを有し、エレメント固定部材(14,51,52)は、ファスナーエレメント(12,22)の上下脚部(12b,12c,22b,22c)間に挿通され、縫製糸(13)は、各ファスナーエレメント(12,22)の上下脚部(12b,12c,22b,22c)を接触しながら跨ぐとともに、ファスナーエレメント(12,22)間にてエレメント固定部材(14,51,52)を刺通する。このようなファスナーテープ無しストリンガー(10,20)によれば、ファスナーエレメント(12,22)を保持できるとともに、スライドファスナー付き物品(1)の軽量化やコスト削減を実現できる。
2014119150.tif 000002
【特許請求の範囲】
【請求項１】
モノフィラメントから成形される連続した複数のファスナーエレメント(12,22) と、前記ファスナーエレメント(12,22) が縫製糸(13)により一連に縫着される細幅のエレメント固定部材(14,51,52)とを有し、
前記ファスナーエレメント(12,22) は、噛合頭部(12a,22a) と、前記噛合頭部(12a,22a) からファスナー幅方向に延出する上下脚部(12b,12c,22b,22c) と、前記上脚部(12b,22b) 又は下脚部(12c,22c) から延出し、ファスナー長さ方向に隣接する前記ファスナーエレメント(12,22) に連結される連結部(12d,22d) とを備え、
前記エレメント固定部材(14,51,52)は、前記ファスナーエレメント(12,22) の前記上下脚部(12b,12c,22b,22c) 間に前記ファスナー長さ方向に沿って挿通され、
前記縫製糸(13)は、各ファスナーエレメント(12,22) の前記上脚部(12b,22b) 及び下脚部(12c,22c) を接触しながら跨ぐとともに、前記ファスナー長さ方向に互いに隣接する前記ファスナーエレメント(12,22) 間にて前記エレメント固定部材(14,51,52)を刺通して、前記ファスナーエレメント(12,22) と前記エレメント固定部材(14,51,52)を縫い合わせてなる、
ことを特徴とするファスナーテープ無しストリンガー。
【請求項２】
前記エレメント固定部材(14,51,52)は、無負荷状態において、ファスナー厚さ方向の寸法の２倍以上となるファスナー幅方向の寸法を有してなる請求項１記載のファスナーテープ無しストリンガー。
【請求項３】
前記エレメント固定部材(14)は、織組織を備えるテープ部材(14)である請求項１又は２記載のファスナーテープ無しストリンガー。
【請求項４】
前記エレメント固定部材(51)は、各ウェールに鎖編糸(51a) が配された経編組織を備えるテープ部材(51)である請求項１又は２記載のファスナーテープ無しストリンガー。
【請求項５】
前記エレメント固定部材は、不織布により構成されるテープ部材である請求項１又は２記載のファスナーテープ無しストリンガー。
【請求項６】
前記エレメント固定部材(52)は、合成樹脂製のフィルム部材(52)である請求項１又は２記載のファスナーテープ無しストリンガー。
【請求項７】
前記上下脚部(12b,12c,22b,22c) は、前記縫製糸(13)の二重環縫いにより前記エレメント固定部材(14,51,52)に縫い付けられてなる請求項１〜６のいずれかに記載のファスナーテープ無しストリンガー。
【請求項８】
請求項１〜７のいずれかに記載のファスナーテープ無しストリンガー(10,20) が、ファスナー被着部材(5) の開閉部に取着され、前記ファスナーエレメント(12,22) により形成されるエレメント列(11)にスライダー(30)が摺動可能に取着されてなることを特徴とするスライドファスナー付き物品。
【発明の詳細な説明】
【技術分野】
【０００１】
本発明は、モノフィラメントから成形される連続したファスナーエレメントが細幅のエレメント固定部材に固定されて構成されるファスナーテープ無しストリンガー、及び、そのファスナーテープ無しストリンガーを有するスライドファスナー付き物品に関する。
【背景技術】
【０００２】
スライドファスナーは、衣料品、日用雑貨品、産業用資材などの物品や、自動車、列車、航空機等の各種シート類などの物品の開閉具として多く使用されている。各種の物品の開閉部に使用されるスライドファスナーは、一般に、ファスナーテープのテープ側縁部にエレメント列が形成された一対のファスナーストリンガーと、エレメント列に沿って摺動可能に配されたスライダーとを有している。【０００３】
また、ファスナーストリンガーの代表的な例の一つとして、例えば熱可塑性樹脂製のモノフィラメントがコイル状又はジグザグ状に成形され、複数の噛合頭部が一続きに連結された連続状のファスナーエレメントを有するファスナーストリンガーが知られている。このファスナーストリンガーでは、連続したファスナーエレメントが、織成又は編成されたファスナーテープの一側縁部（エレメント取付部）に縫糸によって縫い付け固定されることにより、エレメント列が形成されている。【０００４】
このような連続したファスナーエレメントによりエレメント列が形成されたスライドファスナーの一例として、例えば特開２００６−２４７２７９号公報（特許文献１）に記載されたものが知られている。【０００５】
この特許文献１に記載されているスライドファスナー１００は、図１３に示されるように、連続ファスナーエレメント１０１が、縫製糸によって、ファスナーテープ１０２の一側縁側に配されるエレメント取付部に縫着された一対のファスナーストリンガー１０３と、連続ファスナーエレメント１０１のエレメント列に取着されたスライダー１０４とを有している。この場合、ファスナーテープ１０２は、広幅のテープ主体部と、テープ主体部の一側縁側（内側縁側）に配されたエレメント取付部とを有している。【０００６】
また、このようなスライドファスナー１００を、ファスナー被着部材である衣料品などの物品に縫着する場合、ファスナーテープ１０２のテープ主体部（すなわち、ファスナーストリンガー１０３を連続ファスナーエレメント１０１が配されている上面側から見たときに連続ファスナーエレメント１０１の外側に延出して露呈するテープ部分）と、物品のファスナー取付部となる開閉部（開口周縁部）を重ね合わせた状態でミシンによって縫製される。【０００７】
また、例えば国際公開第２０１２／０７０１１６号パンフレット（特許文献２）や国際公開第２０１１／１１１１５４号パンフレット（特許文献３）には、ファスナーテープに改良を加えたスライドファスナーが開示されている。【０００８】
例えば特許文献２には、図１４に示されるように、ファスナーテープ１１１が連続ファスナーエレメント１１２の連結部側の端縁を越えて延出するが、その延出長さ（Ｘ）が１２ｍｍよりも小さくなるよう規制したスライドファスナー用ファスナーストリンガー１１０が記載されている。【０００９】
この特許文献２のファスナーストリンガー１１０であれば、例えばファスナーテープ１１１を彎曲させた状態でファスナーストリンガー１１０を物品に取り付ける場合に、ファスナーテープ１１１を彎曲させても当該ファスナーテープ１１１のテープ主体部を略平坦に保持しながら、ファスナーストリンガー１１０の縫製を安定して行えるとの効果が得られる。【００１０】
また、特許文献３には、図１５に示されるように、連続ファスナーエレメント１２１で形成されるエレメント列をファスナーテープ１２２で包むように構成したスライドファスナー用ファスナーストリンガー１２０が記載されている。この特許文献３のファスナーストリンガー１２０を用いてスライドファスナーを構成することにより、左右のエレメント列を噛合させたときに、被覆体を使用することなく、そのエレメント列を外部から見えないようにファスナーテープ１２２で隠すことができるため、スライドファスナーが取着された物品の見栄えを向上させることができる。
【先行技術文献】
【特許文献】
【００１１】
【特許文献１】特開２００６−２４７２７９号公報
【特許文献２】国際公開第２０１２／０７０１１６号パンフレット
【特許文献３】国際公開第２０１１／１１１１５４号パンフレット
【発明の概要】
【発明が解決しようとする課題】
【００１２】
近年、各種物品、特に衣料品などの衣類、鞄類、及び靴類などの日用品においては、これに取り付けられるスライドファスナーもデザインの一つの要素として扱われるようになってきており、スライドファスナーを含めた物品全体の外観品質を高めることが求められている。また従来では、ファスナー被着部材である物品に対して、スライドファスナーを直線状に取り付けることが一般的であったが、近年、物品の利便性やデザインなどの観点から、スライドファスナーを例えば湾曲状などに曲げた状態で、ファスナー被着部材に取り付けるようになってきている。【００１３】
ところで、上述の特許文献１〜３に記載されているような従来のスライドファスナーでは、いずれも、連続ファスナーエレメントを固定したファスナーテープのテープ主体部を、ファスナー被着部材となる物品（例えば、衣料品など）の開閉部に縫い付けて固定することによって用いられている。従って、ミシンによりスライドファスナーとファスナー被着部材との縫製を円滑に行うためは、ファスナーエレメントよりもテープ幅方向の外側に露呈するファスナーテープのテープ主体部における幅寸法を、縫い代として確保する必要があった。【００１４】
また、スライドファスナーに用いられるファスナーテープは、織成又は編成されているため、通常、テープ厚さ方向に薄く（厚さ寸法が小さく）して構成されている。それとともに、上述のようにファスナーテープにおけるテープ主体部の幅寸法を縫い代として確保して、ミシンによる縫製が円滑に行え、且つ、様々なファスナー被着部材に安定して縫着できるようにするために、ファスナーテープのテープ主体部をテープ幅方向に広く形成している。【００１５】
このように、従来のスライドファスナーにおいては、ファスナーテープが厚さ方向に薄く、且つ、幅方向に広く形成されているため、ファスナー被着部材に対して直線状に取り付ける場合には、シート類に綺麗に縫着することが可能である。しかし、スライドファスナーをファスナー被着部材に対して湾曲状などに曲げた状態で取り付ける場合には、スライドファスナーの外周部に当たるテープ主体部が部分的に大きく浮き上がったり、沈み込んだりすることや、また、スライドファスナーの内周部に当たるテープ延出部（凹状に彎曲するテープ延出部）に波打ち状の大きな皺が発生することがあった。【００１６】
上述のようにテープ延出部が大きく浮き上がった場合などでは、ファスナーテープをミシンのミシンフットで的確に押さえられず、また、例えばテープ延出部に波打ち状の大きな皺が発生した場合には、ファスナーテープが部分的に重なってしまうことから、ミシンによるスライドファスナーとファスナー被着部材との縫製が行い難くなる。【００１７】
また、スライドファスナーが縫製された物品（スライドファスナー付き物品）においても、ファスナーテープに大きな浮き上がりや沈み込み、又は波打ち状の皺が発生していると、スライドファスナー付き物品の見栄え（外観品質）を低減させるという問題があった。更に、スライダーをエレメント列に沿って摺動させたときに、ファスナーテープがスライダーと摺接し易くなるため、スライダーの摺動抵抗を増大させてスライダーの摺動性を低下させることもあった。【００１８】
本発明は上記従来の課題に鑑みてなされたものであって、その具体的な目的は、スライドファスナーの軽量化やコスト削減が図れるとともに、ファスナー被着部材に対して湾曲状などに曲げた状態でも見栄え良く取り付けることが可能なファスナーテープ無しストリンガー、及び、そのファスナーテープ無しストリンガーを用いて構成されたスライドファスナー付き物品を提供することにある。
【課題を解決するための手段】
【００１９】
上記目的を達成するために、本発明により提供されるファスナーテープ無しストリンガーは、モノフィラメントから成形される連続した複数のファスナーエレメントと、前記ファスナーエレメントが縫製糸により一連に縫着される細幅のエレメント固定部材とを有し、前記ファスナーエレメントは、噛合頭部と、前記噛合頭部からファスナー幅方向に延出する上下脚部と、前記上脚部又は下脚部から延出し、ファスナー長さ方向に隣接する前記ファスナーエレメントに連結される連結部とを備え、前記エレメント固定部材は、前記ファスナーエレメントの前記上下脚部間に前記ファスナー長さ方向に沿って挿通され、前記縫製糸は、各ファスナーエレメントの前記上脚部及び下脚部を接触しながら跨ぐとともに、前記ファスナー長さ方向に互いに隣接する前記ファスナーエレメント間にて前記エレメント固定部材を刺通して、前記ファスナーエレメントと前記エレメント固定部材を縫い合わせてなることを最も主要な特徴とするものである。【００２０】
本発明のファスナーテープ無しストリンガーにおいて、前記エレメント固定部材は、無負荷状態において、ファスナー厚さ方向の寸法の２倍以上となるファスナー幅方向の寸法を有することが好ましい。【００２１】
本発明のファスナーテープ無しストリンガーにおいて、前記エレメント固定部材は、織組織を備えるテープ部材であることが好ましい。また、前記エレメント固定部材は、各ウェールに鎖編糸が配された経編組織を備えるテープ部材、不織布により構成されるテープ部材、又は、合成樹脂製のフィルム部材であっても良い。
また、前記上下脚部は、前記縫製糸の二重環縫いにより前記エレメント固定部材に縫い付けられていることが好ましい。【００２２】
そして、本発明によれば、上述した構成を有するファスナーテープ無しストリンガーが、ファスナー被着部材の開閉部に取着され、前記ファスナーエレメントにより形成されるエレメント列にスライダーが摺動可能に取着されてなることを最も主要な特徴とするスライドファスナー付き物品が提供される。
【発明の効果】
【００２３】
本発明により提供されるファスナーテープ無しストリンガーは、モノフィラメントから成形され、コイル状又はジグザグ状の連続したファスナーエレメントと、細幅のエレメント固定部材とを有している。また、細幅のエレメント固定部材は、ファスナーエレメントの上下脚部間にファスナー長さ方向に沿って挿通されており、連続状のファスナーエレメントは、上下脚部間に配された細幅のエレメント固定部材に縫製糸により一連に縫着されている。【００２４】
ここで、ファスナーテープとは、ファスナーエレメントの上脚部又は下脚部の外面（上下脚部が対向する面とは反対の面）に上脚部又は下脚部に接触した状態で、上脚部及び下脚部を固定するためのテープ部材であり、上下脚部間に挿通される本発明のエレメント固定部材とは異なる部材である。すなわち、本発明のファスナーストリンガーは、上脚部又は下脚部の外側に、上脚部及び下脚部を固定するための所謂ファスナーテープが配置されておらず、従来の一般的なファスナーストリンガーとは異なる新しい構造を有するファスナーテープ無しストリンガーとして構成されている。【００２５】
また本発明において、縫製糸は、各ファスナーエレメントの上脚部及び下脚部を接触しながら跨ぐとともに、ファスナー長さ方向に互いに隣接するファスナーエレメント間にてエレメント固定部材を刺通することにより、連続ファスナーエレメントをエレメント固定部材に縫い付け固定している。この場合、エレメント固定部材は、従来の芯紐のようにファスナー長さ方向に伸縮し易いものではなく、ファスナー長さ方向に伸縮し難い難伸縮性の構造を備えていることが好ましい。【００２６】
このような本発明におけるファスナーテープを使用しないファスナーストリンガー（ファスナーテープ無しストリンガー）は、上下脚部間に挿通されるエレメント固定部材（特に、難伸縮性のエレメント固定部材）にファスナーエレメントが縫着されている。このため、ファスナーストリンガーの構成部材として従来のようなファスナーテープを用いなくても、ファスナーエレメントの取付ピッチをエレメント固定部材によって安定して保持することができる。【００２７】
従って、本発明のファスナーテープ無しストリンガーをファスナー被着部材に取着してスライドファスナー付き物品を構成することにより、スライドファスナー付き物品の軽量化やコスト削減を実現することができ、或いは、ファスナーテープを従来の役割とは異なる目的（例えば、装飾目的など）で使用することも可能となる。【００２８】
更に本発明では、ファスナーテープを用いずにファスナーストリンガー又はスライドファスナーを構成できるため、例えば本発明のファスナーテープ無しストリンガーを、ファスナー被着部材に対し、湾曲状などに曲げた状態で安定して取り付けることができる。またこの場合、従来のスライドファスナーで問題とされるファスナーテープの浮き上がりや沈み込み、又は波打ち状の皺等が発生することがないため、スライドファスナー付き物品の見栄え（外観品質）を向上させることができる。【００２９】
このような本発明のファスナーテープ無しストリンガーにおいて、エレメント固定部材が、無負荷状態において、ファスナー厚さ方向の寸法の２倍以上となるファスナー幅方向の寸法を有することにより、エレメント固定部材が、ファスナー長さ方向に伸縮し難い構造を容易に備えることができる。【００３０】
このような本発明のファスナーテープ無しストリンガーにおいては、エレメント固定部材として、織組織を備えるテープ部材、各ウェールに鎖編糸が配された経編組織を備えるテープ部材、不織布により構成されるテープ部材、又は、合成樹脂製のフィルム部材が用いられる。このようなテープ部材又はフィルム部材がエレメント固定部材として用いられることにより、エレメント固定部材を簡単な構造でファスナー長さ方向に伸縮し難くすることができ、それにより、ファスナーテープ無しストリンガーにおけるファスナーエレメントの取付ピッチを安定して保持することができる。【００３１】
また、このようなテープ部材又はフィルム部材の横断面は、厚さ方向の寸法が小さく、幅方向の寸法が大きな扁平な形状を有するため、ファスナーエレメントの上下脚部間にテープ部材又はフィルム部材を挿通させ易くすることができる。また、例えばミシンを用いてテープ部材又はフィルム部材にファスナーエレメントの上下脚部を縫い付ける際に、テープ部材又はフィルム部材にミシン針を安定して刺通させることができ、縫製作業を円滑に行うことができる。【００３２】
本発明のファスナーテープ無しストリンガーにおいて、ファスナーエレメントの上下脚部は、縫製糸の二重環縫いによりエレメント固定部材に縫い付けられている。これにより、エレメント固定部材に対するファスナーエレメントの縫製時に、ファスナーエレメントの上下脚部をエレメント固定部材に効率的に縫い付け固定することができるため、生産性の向上を図ることができる。また、縫製糸の二重環縫いによって、上下脚部がエレメント固定部材にしっかりと固定され、更に、例えば縫製糸が切れた場合でも、縫製糸のほつれを生じ難くすることができる。【００３３】
そして、本発明により提供されるスライドファスナー付き物品は、上述した構成を有するファスナーテープ無しストリンガーが、ファスナー被着部材の開閉部に取着され、ファスナーエレメントにより形成されるエレメント列にスライダーが摺動可能に取着されている。【００３４】
このように構成されるスライドファスナー付き物品は、上述のようなエレメント固定部材にファスナーエレメントが縫着されているため、スライドファスナーの構成部材としてファスナーテープを用いなくても、ファスナーエレメントの取付ピッチを安定して保持することができる。【００３５】
すなわち、本発明においては、ファスナーエレメントの取付ピッチを所定の大きさに安定して保持できると同時に、従来ではスライドファスナーの必須構成部材であったファスナーテープを省略することができるため、スライドファスナー付き物品の軽量化やコスト削減を実現できる。【００３６】
更に、ファスナーテープが省略されてスライドファスナー付き物品が構成される場合、ファスナーテープ無しストリンガーを、ファスナー被着部材に対し、例えば湾曲状などに曲げた状態で安定して取り付けることができる。またこの場合、従来のスライドファスナーで問題とされるファスナーテープの浮き上がりや沈み込み、又は波打ち状の皺等が発生することがないため、スライドファスナー付き物品の見栄え（外観品質）を向上させることができる。
【図面の簡単な説明】
【００３７】
【図１】本発明の実施例に係るスライドファスナー付き物品の要部を裏面側から拡大して示す要部拡大図である。
【図２】同スライドファスナー付き物品の要部を拡大して示す斜視図である。
【図３】同スライドファスナー付き物品の断面図である。
【図４】同スライドファスナー付き物品に用いられるファスナーテープ無しストリンガーの平面図である。
【図５】同ファスナーテープ無しストリンガーの底面図である。
【図６】図４に示したＶＩ−ＶＩ線におけるファスナーテープ無しストリンガーの断面図である。
【図７】エレメント固定部材として用いられる織成されたテープ部材の織組織を模式的に示す模式図である。
【図８】同ファスナーテープ無しストリンガーとファスナー被着部材とが縫い合わせられる前の状態を示す断面図である。
【図９】同ファスナーテープ無しストリンガーがファスナー被着部材に縫着された状態を示す断面図である。
【図１０】ファスナーテープ無しストリンガーの変形例を示す断面図である。
【図１１】エレメント固定部材として用いられる編成されたテープ部材の経編組織を示す組織図である。
【図１２】エレメント固定部材として用いられる合成樹脂製のフィルム部材を示す斜視図である。
【図１３】従来のスライドファスナーを示す平面図である。
【図１４】従来のスライドファスナー用ファスナーチェーンを示す断面図である。
【図１５】従来のスライドファスナー用ファスナーチェーンを示す断面図である。
【発明を実施するための形態】
【００３８】
以下、本発明の好適な実施の形態について、実施例を挙げて図面を参照しながら詳細に説明する。なお、本発明は、以下で説明する実施形態に何ら限定されるものではなく、本発明と実質的に同一な構成を有し、かつ、同様な作用効果を奏しさえすれば、多様な変更が可能である。
【００３９】
例えば、以下の各実施例におけるスライドファスナーの連続ファスナーエレメントは、モノフィラメントをコイル状に成形することによって構成されているが、本発明はこれに限定されず、連続ファスナーエレメントが、モノフィラメントをジグザグ状に成形することによって構成されていても良い。
【実施例】
【００４０】
図１は、本実施例に係るスライドファスナー付き物品の要部を裏面側から拡大して示す要部拡大図である。図２は、同スライドファスナー付き物品の要部を拡大して示す斜視図であり、図３は、同スライドファスナー付き物品の断面図である。図４及び図５は、同スライドファスナー付き物品に用いられるファスナーテープ無しストリンガーの平面図及び底面図である。【００４１】
なお、以下のスライドファスナーに関する説明において、前後方向とは、スライドファスナーの長さ方向又はテープ部材の長さ方向を言い、特に、スライダーがスライドファスナーのエレメント列を噛合させるように摺動する方向を前方とし、エレメント列を分離させるように摺動する方向を後方とする。【００４２】
また、左右方向とは、スライドファスナーのファスナー幅方向を言い、例えば、スライドファスナーのテープ部材のテープ面に平行で、且つ、テープ長さ方向に直交する方向である。更に、上下方向とは、前後方向と左右方向とに直行する方向を言い、例えばテープ部材のテープ面に直交するテープ厚さ方向を指す。特に、ファスナーエレメントに対してスライダーの引手が配されている側の方向を上方とし、その反対側の方向を下方とする。【００４３】
本実施例に係るスライドファスナー付き物品１は、衣服（衣料品）であり、この衣服１の前身頃の前立て部に配された開閉部や、前身頃の胸部及び腹部に設けられたポケット部の開閉部（開口周縁部）などにスライドファスナーが構成されている。すなわち、本実施例において、スライドファスナーに対するファスナー被着部材は、衣服１の生地５（ガーメント生地とも言う）となる。【００４４】
この場合、本実施例のスライドファスナーは、衣服１の外面側から見え難いように、ファスナーストリンガー１０のエレメント列１１が衣服１の生地５の裏面側（内面側）に配される所謂裏使いの態様で、衣服１に取り付けられている。また、例えば図２に示すように、衣服１における各開閉部では、左右の生地５が、スライドファスナーの開閉により互いに接離可能に対向して配されている。【００４５】
なお、本発明において、スライドファスナーが取着される物品は、衣服（衣料品）に限定されるものではなく、靴類や鞄類などの日用雑貨品、産業用資材などの物品、自動車、列車、航空機等の各種シート類などの様々な物品が含まれる。【００４６】
本実施例の衣服１に構成されるスライドファスナーは、図２及び図３に示したように、エレメント列１１を有する左右一対のファスナーストリンガー（ファスナーテープ無しストリンガー）１０と、エレメント列１１に沿って摺動可能に配されたスライダー３０と、エレメント列１１の前端に隣接して配され、スライダー３０の脱落を防止する第１止具４１と、エレメント列１１の後端に隣接して左右のファスナーストリンガー１０に跨るように配された第２止具４２とを有している。【００４７】
左右の各ファスナーストリンガー１０は、コイル状に連続するファスナーエレメント１２と、ファスナーエレメント１２が第１縫製糸１３の縫着により固定される細幅のテープ部材１４とを有しており、各ファスナーストリンガー１０は、ファスナーエレメント１２の後述する上脚部１２ｂの外側にも下脚部１２ｃの外側にもファスナーテープが配置されていないファスナーテープ無しストリンガー１０として構成されている。【００４８】
ファスナーエレメント１２は、ポリアミドやポリエステルなどの熱可塑性樹脂製のモノフィラメントをコイル状に成形することによって形成されており、前後方向に膨出する部分を備えた噛合頭部１２ａと、噛合頭部１２ａから幅方向に延出する上脚部１２ｂ及び下脚部１２ｃと、同連続ファスナーエレメント１２の上脚部１２ｂ（又は下脚部１２ｃ）及びファスナー長さ方向に隣接する他のファスナーエレメント１２の下脚部１２ｃ（又は上脚部１２ｂ）間を連結する連結部１２ｄとを有している。【００４９】
なお、本発明におけるファスナーエレメント１２として、このようにモノフィラメントをコイル状に捲回して形成したファスナーエレメント１２の他に、前述のように、モノフィラメントをジグザグ状に折曲して形成したファスナーエレメントを用いることも可能である。【００５０】
このファスナーエレメント１２を固定する固定部材となる細幅のテープ部材１４は、図７に示すように、複数の経糸１４ａと、２本の単糸を引き揃えて１組とした緯糸１４ｂとにより一重織で織成された平織組織で形成されている。【００５１】
このような平織組織に織成されたテープ部材（織テープ部材）１４は、厚さ方向の寸法が小さく、幅方向の寸法が大きな扁平な横断面形状を有するとともに、経糸１４ａが緯糸１４ｂによって織成されることによりファスナー長さ方向の伸縮が抑えられた伸縮し難い構造を備えている。なお、この織テープ部材１４の一側縁部には、次位の緯糸１４ｂを順次引っ掛けてループ折り返し端を連結することにより形成される耳部が形成されている。【００５２】
この織テープ部材１４は、図４〜図６に示すように、ファスナーエレメント１２の上下脚部１２ｂ，１２ｃ間にファスナー長さ方向に沿って挿通された状態で、上脚部１２ｂ及び下脚部１２ｃを織テープ部材１４の表面及び裏面に第１縫製糸１３により固定している。第１縫製糸１３は、ファスナーエレメント１２を織テープ部材１４（固定部材）に取り付けるものであり、第１固定手段とも言う。【００５３】
特に本実施例において、織テープ部材１４とファスナーエレメント１２とは、織テープ部材１４がファスナーエレメント１２の上下脚部１２ｂ，１２ｃ間に形成される内部空間に挿通された状態で、エレメント縫製用のミシンを用いて、第１縫製糸１３の二重環縫いにより一連に縫い合わせられている。また、コイル状に連続するファスナーエレメント１２は、そのファスナー長さ方向全体に亘って織テープ部材１４に縫い付け固定されている。【００５４】
本実施例において、織テープ部材１４の横断面が上述のように扁平な形状を有することにより、ファスナーエレメント１２の上下脚部１２ｂ，１２ｃ間に織テープ部材１４を挿通させ易くなるとともに、例えば後述するようにミシンを用いて織テープ部材１４に上下脚部１２ｂ，１２ｃを縫い付ける際に、織テープ部材１４にミシン針を安定して刺通させて、縫製作業を円滑に行うことができる。【００５５】
この場合、第１縫製糸１３のルーパ糸１３ａは、織テープ部材１４の表面側にて、ファスナーエレメント１２の上脚部１２ｂに直接接触しながら同上脚部１２ｂを跨ぎ、また、第１縫製糸１３の針糸１３ｂは、織テープ部材１４の裏面側にて、ファスナーエレメント１２の下脚部１２ｃに直接接触しながら同下脚部１２ｃを跨ぐとともに、互いに隣接するファスナーエレメント１２間にて織テープ部材１４を刺通して、織テープ部材１４の表面側を通るルーパ糸１３ａと交錯する。これにより、各ファスナーエレメント１２間に縫い目が形成されるとともに、第１縫製糸１３の二重環縫いによる第１縫製部が、エレメント列１１の表面側と裏面側に表出するように形成される。【００５６】
このようにファスナーエレメント１２が、ファスナー長さ方向に伸縮し難い織テープ部材１４に第１縫製糸１３の二重環縫いにより固定されることによって、織テープ部材１４が、エレメント固定部材としてファスナーエレメント１２の形状を保持するとともに、ファスナーエレメント１２の取付ピッチ（言い換えると、噛合頭部１２ａ間の間隔）を一定に保つことができる。【００５７】
また、第１縫製糸１３が織テープ部材１４を刺通してファスナーエレメント１２を保持しているため、織テープ部材１４に対する第１縫製糸１３の刺通位置がずれ難く、ファスナーエレメント１２の上下脚部１２ｂ，１２ｃを織テープ部材１４の所定位置にしっかりと固定して支えることができる。このため、織テープ部材１４に対して上下脚部１２ｂ，１２ｃが動くことを防止できる。【００５８】
しかも第１縫製糸１３のステッチ形式として二重環縫いを採用することによって、縫い目の強度に優れ、伸縮性にも富むため好ましく、更に、たとえ第１縫製糸１３が切れたとしても、第１縫製糸１３のほつれを生じ難くすることができる。更に、二重環縫いで織テープ部材１４とファスナーエレメント１２とを縫い合わせることによって、ファスナーテープ無しストリンガー１０を高い生産性で製造することができる。なお、本発明では、第１縫製糸１３のステッチ形式として、本縫いなどの二重環縫い以外のものを採用することも可能である。【００５９】
また、上述のように構成される本実施例のファスナーストリンガー１０は、従来のファスナーストリンガーでは必須の構成部材であったファスナーテープが排除されているため、従来のファスナーストリンガーに比べて軽量であり、且つ、製造コストを安く抑えることができる。【００６０】
更に、ファスナー長さ方向に伸縮し難い構造を備えた織テープ部材１４にファスナーエレメント１２が縫い付けられているため、ファスナーテープが排除されていても、ファスナーエレメント１２の取付ピッチを織テープ部材１４によって安定して保持することができる。また、このファスナーテープ無しストリンガー１０は湾曲状などに曲げられても、従来のファスナーストリンガーのようにファスナーテープの浮き上がりや沈み込み、又は波打ち状の皺が発生することもない。【００６１】
このようなファスナーテープ無しストリンガー１０は、図８及び図９に示すように、ファスナー被着物である衣服１の生地５に対して位置を合わせた状態で、スライドファスナー縫製用ミシンを用いて、第２縫製糸６の本縫いによって生地５に縫い付け固定されている。この場合、ファスナーエレメント１２と織テープ部材１４とは、そのファスナー長さ方向全体に亘って生地５に縫着されている。また、第２縫製糸６は、ファスナーストリンガー１０を生地５に取り付けるものであり、第２固定手段とも言う。【００６２】
特に本実施例では、第２縫製糸６が、ファスナーエレメント１２の上下脚部１２ｂ，１２ｃを跨ぐとともに、隣接するファスナーエレメント１２間にて織テープ部材１４及び生地５を刺通することによって、生地５にファスナーテープ無しストリンガー１０を縫い付けている。【００６３】
この場合、第２縫製糸６の本縫いによる縫製は、ミシン針としてボールポイント針を用いて行われる。このボールポイント針は、先端が球状に丸くなっている針であり、その先端の直径は、０．２ｍｍ以上０．６ｍｍ以下であることが好ましい。【００６４】
このようにボールポイント針を用いることにより、縫製時にミシン針がファスナーエレメント１２に衝突しても、ボールポイント針の位置がファスナーエレメント１２に沿って前後方向に相対的にずれながら織テープ部材１４及び生地５を刺通できるため、ファスナーエレメント１２の損傷、及びミシン針の折損や折れ曲がりなどを回避して、縫製工程を円滑に安定して行うことができる。【００６５】
しかも、第２縫製糸６のステッチ形式として本縫いを採用することによって、第２縫製糸の縫い目が解け難く強度に優れるという利点が得られ、その上、縫製時にボールポイント針がファスナーエレメント１２に衝突してボールポイント針の位置（言い換えると、針が織テープ部材１４及び生地５を刺通する位置）がずれたとしても、ファスナーテープ無しストリンガー１０と生地５とを円滑に且つ安定して縫い合わせることが可能である。【００６６】
なお、このような第２縫製糸６による縫製を行う際に、ボールポイント針がファスナーエレメント１２に衝突した場合、本実施例のファスナーテープ無しストリンガー１０では、ファスナーエレメント１２が上述のように織テープ部材１４に適切に固定されているため、ファスナーエレメント１２がボールポイント針を避けるように僅かに移動することを許容するとともに、織テープ部材１４で保持されているファスナーエレメント１２のピッチが不均一となることを防止できる。【００６７】
また本実施例では、第２縫製糸６の本縫いによる第２縫製部（特に第２縫製糸６がエレメント列１１上に表出する部分）が、ファスナー幅方向において、第１縫製糸１３の二重環縫いによる第１縫製部の形成範囲内に重なるように配されている。ここで、第２縫製部が第１縫製部の形成範囲内にあるとは、エレメント列１１の表面（ファスナーエレメント１２の下脚部１２ｃの外面）上に形成される第１縫製部のテープ幅方向の範囲内に、エレメント列１１の表面（ファスナーエレメント１２の下脚部１２ｃの外面）上に形成される第２縫製部が配されることを言う。【００６８】
なお、エレメント列１１（特に、ファスナーエレメント１２の下脚部１２ｃ側の外面）上に第２縫製部を形成する第２縫製糸６は、隣接するファスナーエレメント１２の下脚部１２ｃ間を通って織テープ部材１４を刺通し、更に、隣接するファスナーエレメント１２の上脚部１２ｂ間を通って生地５を刺通している。この場合、第１縫製糸１３の一部は、第２縫製糸６とファスナーエレメント１２の下脚部１２ｃの外面上との間に位置する部分もある。【００６９】
そして、ファスナーエレメント１２、織テープ部材１４、及び生地５は、エレメント列１１上の第２縫製糸６の一部である第２縫製部と、生地５の表面上に表れる第２縫製糸６の一部との間に挟まれるように縫い合わされて固定される。【００７０】
上述のように第２縫製糸６の第２縫製部が第１縫製糸１３の第１縫製部の範囲内に重なるように形成されることにより、第２縫製部が第１縫製部に紛れて目立ち難くなるため、ファスナーストリンガー１０が取着された衣服１の見栄えを向上させることができる。【００７１】
また、ファスナーストリンガー１０が生地５に固定されている状態にて、第２縫製部が第１縫製部とともにファスナーエレメント１２の表面上に形成されているので、スライダー３０の摺動による磨耗や外的要因による磨耗・衝突に対して、第１縫製部および第２縫製部の両方で耐えることができる。このため、第２縫製部が第１縫製部から離間して形成されている場合に比べて、第１縫製糸１３及び第２縫製糸６に糸切れなどが生じることが少なくなる。【００７２】
更に、第２縫製部が第１縫製部の範囲内に重なるように配されることにより、生地５の対向側縁の近傍でファスナーストリンガー１０と生地とを縫い合わせることができる。これにより、第２縫製部よりファスナー幅方向の内側の範囲にある生地５の側縁部が折れ曲がること（めくれること）を生じ難くすることができる。このため、左右のファスナーエレメント１２を噛み合わせたときに、左右の生地５の対向側縁同士を近接（又は接触）させて、左右の生地５の間からエレメント列１１を見え難くする（又は見えなくする）ことができる。【００７３】
また、このように第２縫製糸６による第２縫製部を第１縫製糸１３による第１縫製部の範囲内に重なるように形成する場合でも、ミシン針として上述のようにボールポイント針を用いることにより、ボールポイント針の針先が第１縫製糸１３を分けてその糸間を通過するように縫製を行うことができるため、第２縫製糸６の縫製時に第１縫製糸１３の切断を生じ難くすることができる。なお、本発明では、第２縫製糸６のステッチ形式として、本縫い以外のものを採用することも可能である。【００７４】
上述のようにして、一対のファスナーテープ無しストリンガー１０を第２縫製糸６の本縫いによって衣服１の生地５に縫着した後、両ファスナーストリンガー１０のエレメント列１１にスライダー３０を摺動可能に取り付ける。更にその後、エレメント列１１の前端及び後端に隣接するように第１止具４１及び第２止具４２を形成する。【００７５】
本実施例におけるスライダー３０は、図２及び図３などに示したように、スライダー胴体３１と、取付軸部を一端部に備えた引手３２とを有している。また、スライダー胴体３１は、上翼板３３と、上翼板３３と離間して平行に配された下翼板３４と、上下翼板３３，３４の前端部（肩口側端部）間を連結する案内柱３５と、下翼板３４の左右側縁部から上翼板３３に向けて立設された下フランジ部３６と、上翼板３３の左右側縁部に配された突条部３７と、上翼板３３の上面に配された引手取付部３８とを有している。【００７６】
このスライダー胴体３１の前端部には、案内柱３５を間に挟んで左右の肩口が形成され、スライダー胴体３１の後端部には後口が形成されている。また、上下翼板３３，３４間には、左右の肩口と後口とを連通するように略Ｙ字形状に形成され、ファスナーエレメント１２とともに生地５が挿通可能なエレメント案内路が配されている。【００７７】
本実施例における第１止具４１は、スライダー３０がエレメント列１１の前端側から脱落しないように、左右のエレメント列１１の前端に隣接して生地５に取着されている。また、第２止具４２は、スライダー３０がエレメント列１１の後端側から脱落しないように、左右のエレメント列１１の後端に隣接するとともに左右のエレメント列１１に跨るようにして生地５に取着されている。【００７８】
なお、本発明において、第１及び第２止具４１，４２を生地５に取着する手段は特に限定されず、例えば第１及び第２止具４１，４２を接着又は溶着により生地５に固定しても良いし、また、金属製の第１及び第２止具４１，４２を加締め加工等によって塑性変形させることにより生地５に固定しても良い。【００７９】
また本発明では、第２止具４２の代わりに開離嵌挿具をエレメント列１１の後端に隣接して設けることも可能である。更に、例えばエレメント列１１の後端部を押圧して押し潰すことにより幅広に形成することや、エレメント列１１の後端部を横切るように縫うことによって、第２止具４２を形成することも可能である。【００８０】
なお本実施例では、一対のファスナーテープ無しストリンガー１０を生地５に縫い付けた後に、当該ストリンガーのエレメント列１１にスライダー３０を取り付けるとともに第１止具４１及び第２止具４２を生地５に取着している。【００８１】
しかし、本発明では、一対のファスナーテープ無しストリンガー１０のエレメント列１１にスライダー３０を取り付けた後に、当該ストリンガーを第２縫製糸６の本縫いによって生地５に縫い付けることも可能である。なお、第２縫製糸６による縫製の効率や生産性を考慮すると、ファスナーテープ無しストリンガー１０を生地５に縫い付けた後に、スライダー３０、第１止具４１及び第２止具４２の取り付けを行うことが好ましい。【００８２】
以上のようにして構成された本実施例のスライドファスナー付き衣服１では、ファスナーテープを使用することなくスライドファスナーを構成することができるため、スライドファスナーの軽量化やコスト削減を容易に実現することができる。【００８３】
更に、例えば衣服１の胸部や腹部に設けられたポケット部の開閉部に対して、ファスナーテープ無しストリンガー１０を湾曲状などに曲げた状態で取り付ける場合、従来のスライドファスナーで問題とされるファスナーテープの浮き上がりや沈み込み、又は波打ち状の皺等が発生することがないため、衣服１の見栄え（外観品質）を向上させることができる。【００８４】
また、ファスナーテープ無しストリンガー１０の取り付けに、ボールポイント針を有するミシンを用いることにより、衣服１の生地５に対するファスナーテープ無しストリンガー１０の取り付け作業を容易にかつ安定して行うことができるため、比較的簡単な縫製工程で衣服１を綺麗に仕上げることができる。【００８５】
なお、本発明においては、図２及び図３に示したようなコイル状の連続したファスナーエレメント１２の代わりに、例えば図１０に示すようなコイル状の連続したファスナーエレメント２２を用いて、ファスナーテープ無しストリンガー２０を構成することも可能である。【００８６】
この図１０に示したファスナーテープ無しストリンガー２０に用いられるファスナーエレメント２２は、熱可塑性樹脂製のモノフィラメントをコイル状に成形することによって形成されており、前後方向に膨出する部分を備えた噛合頭部２２ａと、噛合頭部２２ａから幅方向に延出する上脚部２２ｂ及び下脚部２２ｃと、同連続ファスナーエレメント２２の上脚部２２ｂ（又は下脚部２２ｃ）及びファスナー長さ方向に隣接する他のファスナーエレメント２２の下脚部２２ｃ（又は上脚部２２ｂ）間を連結する連結部２２ｄとを有している。【００８７】
また、ファスナーエレメント２２の生地に接しない側の一方の脚部（この場合は下脚部２２ｃ）を、生地に接する側の他方の脚部（この場合は上脚部２２ｂ）に向けて部分的に凹ませるように変形させることによって、一方の脚部の外表面（下脚部２２ｃの下面）に、第１縫製糸１３が配置（収容）される凹部２２ｅが形成されている。【００８８】
このような凹部２２ｅが下脚部２２ｃの下面に設けられており、第１縫製糸１３がこの凹部２２ｅを跨ぐようにして上下脚部２２ｂ，２２ｃを拘束して織テープ部材１４に縫い付けていることにより、ファスナーテープ無しストリンガー２０を生地に取着してスライダー３０を摺動させたときに、第１縫製糸１３をスライダー３０に接触させ難くして、第１縫製糸１３の磨耗を生じ難くすることができる。【００８９】
更にこの場合、ファスナーテープ無しストリンガー２０を生地５に縫い付ける第２縫製糸６も、第１縫製糸１３と同様に下脚部２２ｃの凹部２２ｅを跨ぐように配されるため、第２縫製糸６もスライダー３０に接触させ難くして、第２縫製糸６の磨耗を生じ難くすることができる。従って、図１０に示したファスナーテープ無しストリンガー２０が取着された物品では、スライダー３０の摺動操作が繰り返し行われても、第１縫製糸１３及び第２縫製糸６の切断が生じ難くなり、スライドファスナーの機能を長期に亘って安定して維持することができる。【００９０】
更に、ファスナーエレメント２２の下脚部２２ｃが、上述のように上脚部２２ｂに向けて部分的に凹ませるように変形していることによって、上下脚部２２ｂ，２２ｃ間に織テープ部材１４を安定して挟持できる。それによって、織テープ部材１４に対する上下脚部２２ｂ，２２ｃの位置がファスナー長さ方向に更にずれに難くなり、ファスナーエレメント２２のピッチをより安定させることができる。【００９１】
なお、前述した実施例に係るファスナーテープ無しストリンガー１０では、ファスナーエレメント１２の上下脚部１２ｂ，１２ｃ間に配されるエレメント固定部材として、平織組織に織成された細幅のテープ部材１４が用いられているが、本発明においては、このような織テープ部材１４の他に、例えば図１１に示すような編成された細幅のテープ部材（経編テープ部材）５１、不織布により構成される細幅のテープ部材、又は、図１２に示すような細幅の伸縮に難い性質を有する合成樹脂により形成されるフィルム部材５２を用いることも可能である。【００９２】
これらのエレメント固定部材は、無負荷状態においてファスナー幅方向（テープ幅方向とも言う）の寸法がテープ厚さ方向の寸法の２倍以上の大きさで構成されており、より好ましくは、エレメント固定部材におけるファスナー幅方向の寸法は、テープ厚さ方向の寸法の２．５倍以上３．５倍以下の大きさに設定される。【００９３】
ここで、無負荷状態とは、ファスナーエレメント１２からエレメント固定部材を抜き取り、そのエレメント固定部材に対して引っ張りや圧縮などの人工的な外力を加えない状態を言う。エレメント固定部材が上述のような寸法を有することによって、ファスナー長さ方向に伸縮し難い構造を備えることができる。【００９４】
ここで、ファスナーエレメントの上下脚部間に配される従来の芯紐は、複数の糸をまとめて束ねた状態でその周囲を編成することで得られるニットコードであることが多い。このように複数の糸を束ねたニットコードでは、複数の糸がファスナー長さ方向に延びているが、それぞれの糸はファスナー幅方向およびファスナー厚さ方向にうねり（捲縮）を有するため、伸縮し易いものである。【００９５】
そして、従来の芯紐では、無負荷状態にて、断面が円形状であるために、ファスナー幅方向およびファスナー厚さ方向の両方にうねることが自由であるため、うねりが多く発生し易くなり、その結果、うねりの発生に伴って芯紐が伸縮し易いものとなる。【００９６】
一方、本発明のエレメント固定部材は、従来の芯紐に発生するようなうねりが少なくなるため、伸縮し難い構造を備える。また、本発明のエレメント固定部材にファスナー長さ方向への引っ張り力が加えられたときには、その断面形状（特にテープ厚さ方向の寸法）が無負荷状態よりも小さくなり、その減少分がファスナー長さ方向への伸びに繋がることになる。このため、このエレメント固定部材は、テープ幅方向の寸法に対するテープ厚さ方向の寸法を小さくすることによって、引っ張り力を受けたときのエレメント固定部材の断面形状が小さくなり難くなるため、伸縮し難い構造となる。【００９７】
例えば、エレメント固定部材のテープ幅方向の寸法は、そのテープ厚さ方向の寸法の２倍以上の大きさに設定されていることにより、例えばテープ厚さ方向の寸法と同等若しくはその寸法の１．５倍の大きさに設定されている場合に比べて、エレメント固定部材をファスナー長さ方向へ伸び難くすることができる。【００９８】
また、例えば図１１に示す経編テープ部材５１は、経編組織からなる細幅の帯状体であり、経編の一重組織を備える。また、経編テープ部材５１の全テープ幅が第１ウェールＷ１〜第７ウェールＷ７により構成されている。この経編テープ部材５１の編組織は、各ウェールに配される鎖編糸５１ａ（０−１／１−０）と、トリコット編糸５１ｂ（１−０／１−２）と、４つのウェールに跨ってジグザグ状に挿入される緯挿入糸５１ｃ（４−４／０−０）とにより構成されている。この場合、複数の緯挿入糸５１ｃが、第１ウェールＷ１〜第７ウェールＷ７に亘って全体的に配されている。【００９９】
このような経編テープ部材５１は、各ウェールに配される鎖編糸５１ａによりファスナー長さ方向の伸縮が抑えられた伸縮し難い構造を備えている。このため、エレメント固定部材として織テープ部材１４を用いる場合と同様に、ファスナーストリンガーの構成部材としてファスナーテープが排除されていても、ファスナーエレメント１２の取付ピッチを経編テープ部材５１によって安定して保持することができる。【０１００】
また、エレメント固定部材として、不織布により構成されるテープ部材や、図１２に示す合成樹脂製のフィルム部材５２を用いる場合も、織テープ部材１４や図１１の経編テープ部材５１の場合と同様に、ファスナー長さ方向の伸縮が抑えられた伸縮し難い構造を備えているため、ファスナーテープを用いなくても、ファスナーエレメント１２の取付ピッチを安定して保持することができる。【０１０１】
なお、フィルム部材５２の材質としては、例えば弾性変形し難いポリエステルやナイロンなどの熱可塑性樹脂を選択することができる。また、フィルム部材５２の膜厚は、ファスナーエレメント１２のサイズに応じて任意に変更することができるが、例えばファスナーストリンガー１０が適度な剛性と柔軟性とを備えるように、０．０５ｍｍ以上０．３０ｍｍ以下、特に０．１５ｍｍ以上０．２０ｍｍ以下に設定されることが好ましい。【０１０２】
また、本発明において、合成樹脂製のフィルム部材５２は、ファスナー長さ方向に沿ってまっすぐな状態でファスナーエレメント１２の上下脚部１２ｂ，１２ｃ間に挿入されるが、その後、エレメント縫製用のミシンのミシン針を昇降させてフィルム部材５２にファスナーエレメント１２を縫い付けるときに、フィルム部材５２にミシン針が刺し通される。【０１０３】
このため、図１２に示したように、同フィルム部材５２にはミシン糸（針糸）が挿通する複数の貫通孔５２ａが形成される。それとともに、ミシン針がフィルム部材５２を表裏方向に貫通するときに、フィルム部材５２がミシン針から応力を受けたり、摩擦力等を受けたりすることにより、同フィルム部材５２はテープファスナー長さ方向に対して表裏方向へ波状にうねった形状（蛇行形状）に変形する。フィルム部材５２は、全体的に波状にうねった形状（蛇行形状）を有するものの、ファスナー長さ方向の貫通孔５２ａの間では直線的に形成されるため、ファスナー長さ方向に伸縮し難い構造を備える。【０１０４】
更に、このようにフィルム部材５２がファスナー長さ方向に波状の形状を有することにより、ファスナーエレメント１２の上下脚部１２ｂ，１２ｃ間にフィルム部材５２を挿入することに起因して、ファスナーテープ無しストリンガー１０におけるファスナー長さ方向の柔軟性が低下することを抑制できる。
【符号の説明】
【０１０５】
１                スライドファスナー付き物品（衣服）
５                生地
６                第２縫製糸
１０                ファスナーストリンガー（ファスナーテープ無しストリンガー）
１１                エレメント列
１２                ファスナーエレメント
１２ａ              噛合頭部
１２ｂ              上脚部
１２ｃ              下脚部
１２ｄ              連結部
１３                第１縫製糸
１３ａ              ルーパ糸
１３ｂ              針糸
１４                テープ部材（織テープ部材）
１４ａ              経糸
１４ｂ              緯糸
２０                ファスナーテープ無しストリンガー
２２                ファスナーエレメント
２２ａ              噛合頭部
２２ｂ              上脚部
２２ｃ              下脚部
２２ｄ              連結部
２２ｅ              凹部
３０                スライダー
３１                スライダー胴体
３２                引手
３３                上翼板
３４                下翼板
３５                案内柱
３６                下フランジ部
３７                突条部
３８                引手取付部
４１                第１止具
４２                第２止具
５１                テープ部材（経編テープ部材）
５１ａ              鎖編糸
５１ｂ              トリコット編糸
５１ｃ              緯挿入糸
５２                フィルム部材
５２ａ              貫通孔
【図１】
2014119150.tif 000003
【図２】
2014119150.tif 000004
【図３】
2014119150.tif 000005
【図４】
2014119150.tif 000006
【図５】
2014119150.tif 000007
【図６】
2014119150.tif 000008
【図７】
2014119150.tif 000009
【図８】
2014119150.tif 000010
【図９】
2014119150.tif 000011
【図１０】
2014119150.tif 000012
【図１１】
2014119150.tif 000013
【図１２】
2014119150.tif 000014
【図１３】
2014119150.tif 000015
【図１４】
2014119150.tif 000016
【図１５】
2014119150.tif 000017
【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
モノフィラメントから成形される連続した複数のファスナーエレメント(12,22) と、前記ファスナーエレメント(12,22) が第１及び第２縫製糸(13 ,6) により一連に縫着される細幅のエレメント固定部材(14,51,52)とを有し、
前記ファスナーエレメント(12,22) は、ファスナー長さ方向に隣接するファスナーエレメントが噛合する噛合頭部(12a,22a) と、前記噛合頭部(12a,22a) からファスナー幅方向に延出する上下脚部(12b,12c,22b,22c) と、同連続ファスナーエレメントの前記上脚部(12b,22b) 及びファスナー長さ方向に連続する下脚部(12c,22c) から延出し、ファスナー長さ方向に隣接する前記ファスナーエレメント(12,22) とを連結する連結部(12d,22d) とを備え、
前記エレメント固定部材(14,51,52)は、前記噛合頭部(12a,22a) の噛合時における前記ファスナーエレメント(12,22) の上下脚部(12b,12c) 間に形成される内部空間に前記ファスナー長さ方向に沿って挿通されてなり、
前記第１縫製糸(13)は、各ファスナーエレメント(12,22) の前記上脚部(12b,22b) 及び下脚部(12c,22c) を接触しながら跨ぐとともに、前記ファスナー長さ方向に互いに隣接する前記ファスナーエレメント(12,22) 間にて前記エレメント固定部材(14,51,52)を刺通して、前記ファスナーエレメント(12,22) と前記エレメント固定部材(14,51,52)とを縫い合わせてなり、
前記第２縫製糸(6) は前記エレメント固定部材(14,51,52)を刺通するとともに、ファスナー被着部材(5) を刺通して縫い合わせてなる、
ことを特徴とするファスナーテープ無しストリンガーの被着物品。
【請求項２】
モノフィラメントから成形される連続した複数のファスナーエレメント(12,22) と、前記ファスナーエレメント(12,22) が第１及び第２縫製糸(13 ,6) により一連に縫着される細幅のエレメント固定部材(14,51,52)とを有し、
前記ファスナーエレメント(12,22) は、ファスナー長さ方向に隣接するファスナーエレメントが噛合する噛合頭部(12a,22a) と、前記噛合頭部(12a,22a) からファスナー幅方向に延出する上下脚部(12b,12c,22b,22c) と、同連続ファスナーエレメントの前記上脚部(12b,22b) 及びファスナー長さ方向に連続する下脚部(12c,22c) から延出し、ファスナー長さ方向に隣接する前記ファスナーエレメント(12,22) とを連結する連結部(12d,22d) とを備え、
前記エレメント固定部材(14,51,52)は、前記噛合頭部(12a,22a) の噛合時における前記ファスナーエレメント(12,22) の上下脚部(12b,12c) 間に形成される内部空間に前記ファスナー長さ方向に沿って挿通されてなり、
前記第１縫製糸(13)は、各ファスナーエレメント(12,22) の前記上脚部(12b,22b) 及び下脚部(12c,22c) を接触しながら跨ぐとともに、前記ファスナー長さ方向に互いに隣接する前記ファスナーエレメント(12,22) 間にて前記エレメント固定部材(14,51,52)を刺通して、前記ファスナーエレメント(12,22) と前記エレメント固定部材(14,51,52)とを縫い合わせてなり、
前記上脚部(12b,22b) 及び下脚部(12c,22c) を跨ぐ前記第１縫製糸(13)の一方が、ファスナー被着部材に接触して取り付けられてなる、
ことを特徴とするファスナーテープ無しストリンガーの被着物品。
【請求項３】
前記エレメント固定部材(14,51,52)は、無負荷状態において、ファスナー厚さ方向の寸法の２倍以上となるファスナー幅方向の寸法を有してなる請求項１又は２に記載のファスナーテープ無しストリンガーの被着物品。
【請求項４】
前記エレメント固定部材(14)は、織組織を備えるテープ部材(14)である請求項１〜３のいずれかに記載のファスナーテープ無しストリンガーの被着物品。
【請求項５】
前記エレメント固定部材(51)は、各ウェールに鎖編糸(51a) が配された経編組織を備えるテープ部材(51)である請求項１〜３のいずれかに記載のファスナーテープ無しストリンガーの被着物品。
【請求項６】
前記エレメント固定部材(51)は、不織布により構成されるテープ部材である請求項１〜３のいずれかに記載のファスナーテープ無しストリンガーの被着物品。
【請求項７】
前記エレメント固定部材(52)は、合成樹脂製のフィルム部材(52)である請求項１〜３のいずれかに記載のファスナーテープ無しストリンガーの被着物品。
【請求項８】
前記上下脚部(12b,12c,22b,22c) は、前記縫製糸(13)の二重環縫いにより前記エレメント固定部材(14,51,52)に縫い付けられてなる請求項１〜７のいずれかに記載のファスナーテープ無しストリンガーの被着物品。
【請求項９】
請求項１〜８のいずれかに記載のファスナーテープ無しストリンガーが、ファスナー被着部材(5) の開閉部に取着され、前記ファスナーエレメント(12,22) により形成されるエレメント列(11)にスライダー(30)が摺動可能に取着されてなることを特徴とするスライドファスナー付き物品。
【手続補正３】
【補正対象書類名】明細書
【補正対象項目名】００１９
【補正方法】変更
【補正の内容】
【００１９】
上記目的を達成するために、本発明により提供されるファスナーテープ無しストリンガーの被着物品は、前記ストリンガーがモノフィラメントから成形される連続した複数のファスナーエレメントと、前記ファスナーエレメントが第１及び第２縫製糸により一連に縫着される細幅のエレメント固定部材とを有し、前記ファスナーエレメントは、ファスナー長さ方向に隣接するファスナーエレメントが噛合する噛合頭部と、前記噛合頭部からファスナー幅方向に延出する上下脚部と、同連続ファスナーエレメントの前記上脚部及びファスナー長さ方向に連続する下脚部から延出し、ファスナー長さ方向に隣接する前記ファスナーエレメントとを連結する連結部とを備え、前記エレメント固定部材は、前記噛合頭部の噛合時における前記ファスナーエレメントの上下脚部間に形成される内部空間に前記ファスナー長さ方向に沿って挿通されてなり、前記第１縫製糸は、各ファスナーエレメントの前記上脚部及び下脚部を接触しながら跨ぐとともに、前記ファスナー長さ方向に互いに隣接する前記ファスナーエレメント間にて前記エレメント固定部材を刺通して、前記ファスナーエレメントと前記エレメント固定部材とを縫い合わせてなり、前記第２縫製糸は前記エレメント固定部材を刺通するとともに、ファスナー被着部材を刺通して縫い合わせてなる、若しくは前記上脚部及び下脚部を跨ぐ前記第１縫製糸の一方が、ファスナー被着部材に接触して取り付けられてなることを主要な特徴とするものである。
【国際調査報告】
2014119150.tif 000018
2014119150.tif 000019
2014119150.tif 000020
2014119150.tif 000021